(57)【要約】  本発明は、２つの回転体および接続シャフトを備える摩擦運動エネルギー貯蔵および加速機能を有するヨーヨーボールを開示する。回転体のいずれも，ディスク体および側カバーを備えており、ディスク体のいずれも、その内部に摩擦運動エネルギー貯蔵機構が設けられており、摩擦運動エネルギー貯蔵機構の一端は、ディスク体に接続されており、その他端は、側カバーに接続されている。このヨーヨーボールでは、側カバーを摘むことによって、ディスク体を外部接触面に接触させ、摩擦転動によって、摩擦運動エネルギー貯蔵機構にエネルギーを貯蔵させるようになっている。エネルギー貯蔵の後、ディスク体を外部接触面との接触から外すと、摩擦運動エネルギー貯蔵機構が、エネルギーを解放し、ディスク体を同期回転させるように駆動させ、同時に側カバーを解放すると、ヨーヨーボール体の全体が回転することになる。これによって、たとえ紐が短すぎても、ボール体を投げた後に高速度で回転させることができ、この高速回転は、ボール体を投げ下ろした後、加速領域によって影響されない。従って、たとえ背の低いプレーヤーであっても、ヨーヨーボールのプレイを最大限に楽しみ、種々の曲芸的な動きをもたらすことができる。年齢および背の高さが異なるプレーヤーのそれぞれの要求が満たされることになる。既存のヨーヨーボールと比較して、摩擦運動エネルギー貯蔵および加速機能を有するこのヨーヨーボールは、新規の操作モードおよび新規のプレイ方法を拡大させ、より興味を高め、かつプレイ方法をより多様化させることができる。
2016539772.tif 000002
【特許請求の範囲】
【請求項１】
２つの回転体（１）および前記２つの回転体（１）を接続する接続シャフト（２）を備える摩擦運動エネルギー貯蔵および加速機能を有するヨーヨーボールであって、前記回転体（１）のいずれも，ディスク体（１１）および側カバー（１２）を備えており、前記ディスク体（１１）は、前記側カバー（１２）に対して回転可能になっており、前記ディスク体（１１）のいずれも、その内部に摩擦運動エネルギー貯蔵機構（３）が設けられており、前記摩擦運動エネルギー貯蔵機構（３）の一端は、前記ディスク体（１１）に接続されており、その他端は、前記側カバー（１２）に接続されており、前記２つの回転体（１）の前記側カバー（１２）を摘むことによって、前記ディスク体（１１）を外部接触面に接触させ、摩擦転動によって、前記摩擦運動エネルギー貯蔵機構（３）にエネルギーを貯蔵させ、エネルギー貯蔵の後、前記ディスク体（１１）を外部接触面との接触から外すことによって、前記摩擦運動エネルギー貯蔵機構（３）がエネルギーを解放し、前記２つのディスク体（１１）を転動方向と反対の方向に向かって同期回転させるように駆動させるようになっていることを特徴とする、摩擦運動エネルギー貯蔵および加速機能を有するヨーヨーボール。
【請求項２】
前記ディスク体（１１）のいずれも、その内部に方向制限機構（４）が設けられており、前記方向制限機構（４）は、前記側カバー（１２）が前記摩擦運動エネルギー貯蔵機構（３）に接続される位置に配置されており、前記方向制限機構（４）の一端は、前記側カバー（１２）に接続されており、その他端は、前記摩擦運動エネルギー貯蔵機構（３）に接続されており、前記方向制限機構（４）によって制限される回転方向は、前記摩擦運動エネルギー貯蔵機構（３）のエネルギー貯蔵方向と同じになっており、前記２つの回転体（１）の前記側カバー（１２）を摘むことによって、前記ディスク体（１１）を外部接触面に接触させ、前記方向制限機構（４）によって制限された回転方向に向う摩擦転動によって、前記摩擦運動エネルギー貯蔵機構（３）にエネルギーを貯蔵させるようになっていることを特徴とする、請求項１に記載の摩擦運動エネルギー貯蔵および加速機能を有するヨーヨーボール。
【請求項３】
前記ディスク体（１１）のいずれも、その内部に過負荷保護機構（５）が設けられており、前記過負荷保護機構（５）は、前記側カバー（１２）が前記摩擦運動エネルギー貯蔵機構（３）に接続される位置に配置されており、前記過負荷保護機構（５）の一端は、前記側カバー（１２）に接続されており、その他端は、前記摩擦運動エネルギー貯蔵機構（３）に接続されており、前記側カバー（１２）を摘むことによって、前記摩擦運動保護機構（３）に対する過負荷エネルギー貯蔵が行われる場合、前記過負荷保護機構の作用によって、前記側カバー（１２）が前記摩擦運動エネルギー貯蔵機構（３）から離脱され、これによって、前記摩擦運動エネルギー貯蔵機構（３）に対するエネルギー貯蔵が停止されるようになっていることを特徴とする、請求項１に記載の摩擦運動エネルギー貯蔵および加速機能を有するヨーヨーボール。
【請求項４】
前記ディスク体（１１）のいずれも、その内部に方向制限機構（４）および過負荷保護機構（５）が設けられており、前記方向制限機構（４）および前記過負荷保護機構（５）は、前記側カバー（１２）が前記摩擦運動エネルギー貯蔵機構（３）に接続される位置に配置されており、前記方向制限機構（４）の一端は、前記摩擦運動エネルギー貯蔵機構（３）に接続されており、その他端は、前記過負荷保護機構（５）の一端に接続されており、前記過負荷保護機構（５）の他端は、前記側カバー（１２）に接続されており、前記方向制限機構（４）によって制限される回転方向は、前記摩擦運動エネルギー貯蔵機構（３）のエネルギー貯蔵方向と同じになっており、前記２つの回転体（１）の前記側カバー（１２）を摘むことによって、前記ディスク体（１１）を外部接触面に接触させ、前記方向制限機構（４）によって制限された回転方向に向う摩擦転動によって、前記摩擦運動エネルギー貯蔵機構（３）にエネルギーを貯蔵させ、前記摩擦運動エネルギー貯蔵機構（３）に対する過負荷エネルギー貯蔵が行われる場合、前記過負荷保護機構（５）の作用によって、前記側カバー（１２）が前記方向制限機構（４）から離脱され、これによって、前記摩擦運動エネルギー貯蔵機構（３）に対するエネルギー貯蔵が停止されるようになっていることを特徴とする、請求項１に記載の摩擦運動エネルギー貯蔵および加速機能を有するヨーヨーボール。
【請求項５】
前記方向制限機構（４）は、複数の方向制限ブロック（４１）と、前記方向制限ブロック（４１）の全てが取付けられた取付けディスク（４２）と、内側螺旋状歯車歯（４３１）が凹状に設けられた歯車ディスク（４３）と、を備えおり、前記方向制限ブロック（４１）は、ピンボルト（４０）によって、前記取付けディスク（４２）の底面に自動的に回転することができるように接続されており、かつ前記取付けディスク（４２）の上方に突出しており、前記歯車ディスク（４３）は、前記方向制限ブロック（４１）上に被せられており、これによって、前記方向制限ブロック（４１）の制限爪が、前記内側螺旋状歯車歯（４３１）に一方向においてクランプし、前記歯車ディスク（４３）を一方向に回転させるように制限するようになっており、前記摩擦運動エネルギー貯蔵機構（３）の一端は、前記歯車ディスク（４３）に接続されており、前記過負荷保護機構（５）は、前記取付けディスク（４２）に接続されていることを特徴とする、請求項４に記載の摩擦運動エネルギー貯蔵および加速機能を有するヨーヨーボール。
【請求項６】
前記過負荷保護機構（５）は、円リング（５１）を備えており、前記円リング（５１）の円弧面に凸状歯（５１１）が凸状に設けられており、内側歯車リング（５２）が、前記凸状歯（５１１）に係合されており、前記内側歯車リング（５２）は、前記取付けディスク（４２）の上面に配置されており、前記円リング（５１）の中央に長い凸状キー（５１２）が設けられており、これに対応して、前記側カバー（１２）に前記長い凸状キー（５１２）に適合して接続される長いキー溝（１２１）が設けられており、前記摩擦運動エネルギー貯蔵機構（３）に対する過負荷エネルギー貯蔵が行われる場合、前記円リング（５１）が応力を受けて変形し、前記凸状歯（５１１）が前記内側歯車リング（５２）から離脱し、これによって、前記方向制限機構（４）および前記摩擦運動エネルギー貯蔵機構（３）が前記ディスク体（１１）と共に回転し、前記摩擦運動エネルギー貯蔵機構（３）がエネルギー貯蔵を停止するようになっていることを特徴とする、請求項５に記載の摩擦運動エネルギー貯蔵および加速機能を有するヨーヨーボール。
【請求項７】
前記摩擦運動エネルギー貯蔵機構（３）は、エネルギー貯蔵バネ（３１）およびバネケース（３２）を備えており、前記エネルギー貯蔵バネ（３１）は、前記バネケース（３２）内に配置されており、前記エネルギー貯蔵バネ（３１）の外端は、前記バネケース（３２）にクランプされ、かつ接続されており、前記エネルギー貯蔵バネ（３１）の内端は、前記方向制限機構（４）にクランプされ、かつ接続されており、前記エネルギー貯蔵バネ（３１）のエネルギー貯蔵回転方向は、前記方向制限機構（４）によって制限された回転方向と同じになっており、前記バネケース（３２）は、前記ディスク体（１１）に固定して接続されていることを特徴とする、請求項２，４，５，または６に記載の摩擦運動エネルギー貯蔵および加速機能を有するヨーヨーボール。
【請求項８】
貫通孔（３２０）が、バネケース（３２）の中央に形成されており、これに対応して、前記歯車ディスク（４３）の下側部分に耳部（４３０）が設けられており、前記耳部（４３０）は、前記貫通孔（３２０）を通って前記バネケース（３２）内に入るようになっており、前記耳部（４３０）の周囲に沿って、互いに離間して分配された複数の円弧片（４３２）が設けられており、前記円弧片（４３２）と前記耳部（４３０）との間に間隙が保たれており、前記円弧片（４３２）の下端にフック（４３３）が設けられており、前記歯車ディスクの前記耳部（４３０）が前記バネケース（３２）の前記貫通孔（３２０）内に挿入された後、前記フック（４３３）が前記貫通孔（３２０）から外に引き伸ばされ、前記貫通孔の側部に固定され、これによって、前記歯車ディスク（４３）が前記バネケース（３２）に接続されるようになっており、前記エネルギー貯蔵バネ（３１）の内端は、前記歯車ディスク（４３）の前記円弧片（４３２）にクランプされ、かつ接続されるようになっていることを特徴とする、請求項７に記載の摩擦運動エネルギー貯蔵および加速機能を有するヨーヨーボール。
【請求項９】
前記歯車ディスク（４３）の中央に軸受台（４３４）が設けられており、その上に軸受（６）が取り付けられおり、前記接続シャフト（２）は、前記軸受（６）の中央孔に挿入され、かつ接続されるようになっていることを特徴とする、請求項８に記載の摩擦運動エネルギー貯蔵および加速機能を有するヨーヨーボール。
【請求項１０】
前記ディスク体（１１）のディスク口縁が、摩擦リング（７）に接続されており、前記摩擦リング（７）は、ネジによって、前記ディスク体（１１）に係止され、かつ接続されており、前記摩擦リング（７）の直径は、前記ディスク体（１１）のディスク口直径よりも大きくなっており、前記側カバー（１２）は、前記摩擦リング（７）の外側面上に被せられ、ボルトによって、前記接続シャフト（２）に接続されるようになっていることを特徴とする、請求項１に記載の摩擦運動エネルギー貯蔵および加速機能を有するヨーヨーボール。
【発明の詳細な説明】
【技術分野】
【０００１】
本発明は、ヨーヨーボールに関し、詳細には、摩擦運動エネルギー貯蔵および加速機能を有するヨーヨーボールに関する。
【背景技術】
【０００２】
現在の市場において、ヨーヨーボールは、２つの回転体および２つの回転体を接続する接続シャフトから本質的に成っており、紐が２つの回転体の中央に巻き付けられるようになっている。ヨーヨーボール体は、紐の端において急速に回転可能となるように、力いっぱい投げ下ろされる。しかし、ヨーヨーボールの戻りシステムおよび軸受システムによって制限され、背の低いユーザーは、紐を用いてヨーヨーボール体を投げ下ろすことによってプレイを行なうことができない。これは、紐の長さがユーザーの背の高さに比例するからである。背の高いユーザーの場合、ボール体が投げ下ろされた後、ボール体がある一定速度に加速するのに十分な加速領域があり、これによって、種々の曲芸的な動きをもたらすことができる。一方、背の低いプレーヤーの場合、ボール体に動きをもたらすことができない。何故なら、ボール体が投げ下ろされた後の加速領域が余りにも短く、ボール体の回転速度が十分に早くならないからである。
【発明の概要】
【発明が解決しようとする課題】
【０００３】
本発明の目的は、上記の問題を解消すること、および巧妙に設計された極めて興味深い手動によってエネルギーを貯蔵することができる摩擦運動エネルギー貯蔵および加速機能を有するヨーヨーボールを提供することにある。
【課題を解決するための手段】
【０００４】
本発明の技術的解決策は、以下のように実施されることになる。
【０００５】
２つの回転体および２つの回転体を接続する接続シャフトを備える摩擦運動エネルギー貯蔵および加速機能を有するヨーヨーボールにおいて、回転体のいずれも，ディスク体および側カバーを備えており、ディスク体は、側カバーに対して回転可能になっており、ディスク体のいずれも、その内部に摩擦運動エネルギー貯蔵機構が設けられており、摩擦運動エネルギー貯蔵機構の一端は、ディスク体に接続されており、その他端は、側カバーに接続されており、２つの回転体の側カバーを摘むことによって、ディスク体を外部接触面に接触させ、摩擦転動によって、摩擦運動エネルギー貯蔵機構にエネルギーを貯蔵させ、エネルギー貯蔵の後、ディスク体を外部接触面との接触から外すことによって、摩擦運動エネルギー貯蔵機構がエネルギーを解放し、２つのディスク体を転動方向と反対の方向に向かって同期回転させるように駆動させるようになっている。
【０００６】
摩擦運動エネルギー貯蔵機構によって解放される不必要なエネルギー損失を低減させるために、本発明によれば、ディスク体のいずれも、その内部に方向制限機構が設けられており、方向制限機構は、側カバーが摩擦運動エネルギー貯蔵機構に接続される位置に配置されており、方向制限機構の一端は、側カバーに接続されており、その他端は、摩擦運動エネルギー貯蔵機構に接続されており、方向制限機構によって制限される回転方向は、摩擦運動エネルギー貯蔵機構のエネルギー貯蔵方向と同じになっており、２つの回転体の側カバーを摘むことによって、ディスク体を外部接触面に接触させ、方向制限機構によって制限された回転方向に向う摩擦転動によって、摩擦運動エネルギー貯蔵機構にエネルギーを貯蔵させるようになっている。
【０００７】
過負荷エネルギー貯蔵が摩擦運動エネルギー貯蔵機構を損傷させることを防ぐために、本発明によれば、ディスク体のいずれも、その内部に過負荷保護機構が設けられており、過負荷保護機構は、側カバーが摩擦運動エネルギー貯蔵機構に接続される位置に配置されており、過負荷保護機構の一端は、側カバーに接続されており、その他端は、摩擦運動エネルギー貯蔵機構に接続されており、側カバーを摘むことによって、摩擦運動保護機構に対する過負荷エネルギー貯蔵が行われる場合、過負荷保護機構の作用によって、側カバーが摩擦運動エネルギー貯蔵機構から離脱され、これによって、摩擦運動エネルギー貯蔵機構に対するエネルギー貯蔵が停止されるようになっている。
【０００８】
摩擦運動エネルギー貯蔵機構によって解放される不必要なエネルギー損失を低減させると共に、過負荷エネルギー貯蔵が摩擦運動エネルギー貯蔵機構を損傷させることを防ぐために、本発明によれば、ディスク体のいずれも、その内部に方向制限機構および過負荷保護機構が設けられており、方向制限機構および過負荷保護機構は、側カバーが摩擦運動エネルギー貯蔵機構に接続される位置に配置されており、方向制限機構の一端は、摩擦運動エネルギー貯蔵機構に接続されており、その他端は、過負荷保護機構の一端に接続されており、過負荷保護機構の他端は、側カバーに接続されており、方向制限機構によって制限される回転方向は、摩擦運動エネルギー貯蔵機構のエネルギー貯蔵方向と同じになっており、２つの回転体の側カバーを摘むことによって、ディスク体を外部接触面に接触させ、方向制限機構によって制限された回転方向に向う摩擦転動によって、摩擦運動エネルギー貯蔵機構にエネルギーを貯蔵させ、摩擦運動エネルギー貯蔵機構に対する過負荷エネルギー貯蔵が行われる場合、過負荷保護機構の作用によって、側カバーが方向制限機構から離脱され、これによって、摩擦運動エネルギー貯蔵機構に対するエネルギー貯蔵が停止されるようになっている。
【０００９】
方向制限機構は、多くの構造形態を有していてもよく、本発明における方向制限機構は、複数の方向制限ブロックと、方向制限ブロックの全てが取付けられた取付けディスクと、内側螺旋状歯車歯が凹状に設けられた歯車ディスクと、を備えており、方向制限ブロックは、ピンボルトによって、取付けディスクの底面に自動的に回転することができるように接続されており、かつ取付けディスクの上方に突出しており、歯車ディスクは、方向制限ブロック上に被せられており、これによって、方向制限ブロックの制限爪が、内側螺旋状歯車歯に一方向においてクランプし、歯車ディスクを一方向に回転させるように制限するようになっており、摩擦運動エネルギー貯蔵機構の一端は、歯車ディスクに接続されており、過負荷保護機構は、取付けディスクに接続されている。
【００１０】
部品点数を可能な限り少なくするために、過負荷保護機構は、円リングを備えており、円リングの円弧面に凸状歯が凸状に設けられており、内側歯車リングが、凸状歯に係合されており、内側歯車リングは、取付けディスクの上面に配置されており、円リングの中央に長い凸状キーが設けられており、これに対応して、側カバーに長い凸状キーに適合して接続される長いキー溝が設けられており、摩擦運動エネルギー貯蔵機構に対する過負荷エネルギー貯蔵が行われる場合、円リングが応力を受けて変形し、凸状歯が内側歯車リングから離脱し、これによって、方向制限機構および摩擦運動エネルギー貯蔵機構がディスク体と共に回転し、摩擦運動エネルギー貯蔵機構がエネルギー貯蔵を停止するようになっている。
【００１１】
本発明のエネルギー貯蔵機構は、エネルギー貯蔵バネおよびバネケースを備えており、エネルギー貯蔵バネは、バネケース内に配置されており、エネルギー貯蔵バネの外端は、バネケースにクランプされ、かつ接続されており、エネルギー貯蔵バネの内端は、方向制限機構にクランプされ、かつ接続されており、エネルギー貯蔵バネのエネルギー貯蔵回転方向は、方向制限機構によって制限された回転方向と同じになっており、バネケースは、ディスク体に固定して接続されている。
【００１２】
さらに、貫通孔が、バネケースの中央に形成されており、歯車ディスクの下側部分に耳部が設けられており、耳部は、貫通孔を通ってバネケース内に入るようになっており、耳部の周囲に沿って、互いに離間して分配された複数の円弧片が設けられており、円弧片と耳部との間に間隙が保たれており、円弧片の下端にフックが設けられており、歯車ディスクの耳部がバネケースの貫通孔内に挿入された後、フックが貫通孔から外に引き伸ばされ、貫通孔の側部に固定され、これによって、歯車ディスクがバネケースに接続されるようになっており、エネルギー貯蔵バネの内端は、歯車ディスクの円弧片にクランプされ、かつ接続されている。
【００１３】
ディスク体の回転の滑らかな性能を改良するために、歯車ディスクの中央に軸受台が設けられており、その上に軸受が取り付けられおり、接続シャフトは、軸受孔に挿入され、かつ接続されている。
【００１４】
ディスク体が頻繁な摩擦によって損傷することを防ぐために、かつディスク体の低摩擦係数に起因して摩擦によるエネルギー貯蔵が困難になることを避けるために、ディスク体のディスク口縁が、摩擦リングに接続されており、摩擦リングは、ネジによって、ディスク体に係止され、かつ接続されており、摩擦リングの直径は、ディスク体のディスク口直径よりも大きくなっており、側カバーは、摩擦リングの外側面上に被せられ、ボルトによって、接続シャフトに接続されている。
【００１５】
本発明によれば、回転体のディスク体のいずれも、その内部に摩擦運動エネルギー貯蔵機構が設けられており、摩擦運動エネルギー貯蔵機構の一端は、ディスク体に接続されており、その他端は、側カバーに接続されており、２つの回転体の側カバーを摘むことによって、ディスク体を外部接触面に接触させ、摩擦転動によって、摩擦運動エネルギー貯蔵機構にエネルギーを貯蔵させるようになっている。エネルギー貯蔵の後、ディスク体を外部接触面との接触から外すと、摩擦運動エネルギー貯蔵機構が、エネルギーを解放し、２つのディスク体を転動方向と反対の方向に向かって同期回転させるように駆動させ、同時に側カバーを解放すると、ヨーヨーボール体の全体が回転することになる。これによって、ヨーヨーボール体を紐によって投げることなく、ヨーヨポール体を回転させることができる。たとえ紐が短すぎても、ボール体は、投げ下ろした後高速度で回転することができ、この高速回転は、ボール体が投げ下ろされた後、加速領域によって影響されない。従って、背の低いプレーヤーであっても、ヨーヨーボールのプレイを最大限に楽しみ、種々の曲芸的な動きをもたらすことができる。年齢および背の高さが異なるプレーヤーのそれぞれの要求が満たされることになる。既存のヨーヨーボールと比較して、摩擦運動エネルギー貯蔵および加速機能を有するこのヨーヨーボールは、新規の操作モードおよび新規のプレイ方法を拡大させ、より興味を高め、かつプレイ方法をより多様化させることができる。加えて、ディスク体のいずれも、その内部に方向制限機構および過負荷保護機構が設けられており、これによって、摩擦運動エネルギー貯蔵機構によって解放される不必要なエネルギー損失を低減させ、ヨーヨーボールの回転時間を効果的に改良し、摩擦運動エネルギー貯蔵機構が過負荷エネルギー貯蔵によって損傷することを防ぎ、ヨーヨーボールの寿命を効果的に延ばすことができる。ディスク体のディスク口は、摩擦リングに接続されており、摩擦リングの直径は、ディスク体のディスク口直径よりも大きくなっている。従って、摩擦によるエネルギー貯蔵中、接触摩擦は、摩擦リングと接触面との間に生じ、ディスク体は、摩擦および損傷から良好に保護され、これによって、ヨーヨーボールの寿命をさらに延ばすことができる。摩擦リングの摩擦係数が大きいので、摩擦リングは、転動摩擦中に滑らず、エネルギー貯蔵効果が改良されることになる。もしエネルギー貯蔵効果が低下したなら、摩擦リングのみを取り換えれるだけでよい。このヨーヨーボールは、巧妙に設計されており、背の低いユーザーの娯楽のための要件を満たすのみならず、ヨーヨーボールのプレイ方法を拡大するものであり、極めて興味深く、子供たちの娯楽の要求および新しいものに対する探究心を満たし、プレーヤーがプレイ方法について想像を巡らす十分な余地をもたらし、プレーヤーにとってヨーヨーボールを長期にわたって魅力的なものとすることができる。
【００１６】
以下、添付の図面を参照して、本発明についてさらに説明する。
【図面の簡単な説明】
【００１７】
【図１】本発明の三次元的略構造図である。
【図２】本発明の略構造断面図である。
【図３】本発明の略分解構造図である。
【図４】本発明の側カバー、過付加保護機構、および方向制限機構の略分解構造図である。
【発明を実施するための形態】
【００１８】
図１−４に示されているように、摩擦運動エネルギー貯蔵および加速機能を有するヨーヨーボールは、２つの回転体１および２つの回転体１を接続する接続シャフト２を備えている。回転体１のいずれも、ディスク体１１および側カバー１２を備えており、ディスク体１１は、側カバー１２に対して回転可能になっている。ディスク体１１のいずれも、その内部に摩擦運動エネルギー貯蔵機構３が設けられている。摩擦運動エネルギー貯蔵機構３の一端は、ディスク体１１に接続されており、その他端は、側カバー１２に接続されている。２つの回転体１の側カバー１２を摘むことによって、ディスク体１１を外部接触面に接触させ、摩擦転動によって、摩擦運動エネルギー貯蔵機構３にエネルギーを貯蔵させるようになっている。エネルギー貯蔵の後、ディスク体１１を外部接触面との接触から外すことによって、摩擦運動エネルギー貯蔵機構３がエネルギーを解放し、２つのディスク体１１を転動方向と反対の方向に向かって同期回転させるように駆動させ、同時に側カバー１２を解放すると、ヨーヨーボール体の全体が回転することになる。これによって、ヨーヨーボール体を紐によって投げることなく、ヨーヨポール体を回転させることができる。たとえ紐が短すぎても、ボール体は、投げ下ろされた後高速度で回転することができ、この高速回転は、ボール体が投げ下ろされた後、加速領域によって影響されない。従って、背の低いプレーヤーであっても、ヨーヨーボールのプレイを最大限に楽しみ、種々の曲芸的な動きをもたらすことができる。年齢および背の高さが異なるプレーヤーのそれぞれの要求が満たされることになる。既存のヨーヨーボールと比較して、摩擦運動エネルギー貯蔵および加速機能を有するこのヨーヨーボールは、新規の操作モードおよび新規のプレイ方法を拡大させ、より興味を高め、かつプレイ方法をより多様化させることができる。
【００１９】
図３に示されているように、この実施形態では、ディスク体１１のいずれも、その内部に方向制限機構４および過負荷保護機構５が設けられている。これらの機構４，５は、側カバー１２が摩擦運動エネルギー貯蔵機構３に接続される位置に配置されている。この実施形態における方向制限機構４は、４つの方向制限ブロック４１と、方向制限ブロック４１の全てが取付けられた取付けディスク４２と、内側螺旋状歯車歯４３１が凹状に設けられた歯車ディスク４３と、を備えている。取付けディスク４２の底面に４つのピン孔４２１が設けられており、方向制限ブロック４１は、ピンボルト９によって、ピン孔４２１内に挿入されている。これによって、方向制限ブロック４１は、取付けディスク４２の底面に自動的に回転することができるように接続され、かつ取付けディスク４２の上方に突出することになる。歯車ディスク４３が方向制限ブロック４１上に被せられ、これによって、方向制限ブロック４１の制限爪が、内側螺旋状歯車歯４３１にクランプされることになる。従って、歯車ディスク４３が方向制限ブロック４１の向きと対向して回転するとき、制限爪が内側螺旋状歯車歯４３１にクランプされ、その結果、歯車ディスク４３は、回転することができず、これによって、歯車ディスク４３の一方向回転が実現されることになる。方向制限機構４の歯車ディスク４３は、摩擦運動エネルギー貯蔵機構３の一端に接続されている。この実施形態の過負荷保護機構５は、円リング５１を備えている。円リング５１の円弧面に凸状歯５１１が凸状に設けられている。内側歯車リング５２が、凸状歯５１１に係合している。内側歯車リング５２は、取付けディスク４２の上面に配置されている。すなわち、取付けディスク４２および内側歯車リング５２は、一体設計されており、これによって、部品の数を減らし、コストを低減させ、構造をより小形化させることができる。円リング５１の中央に長い凸状キー５１２が設けられており、これに対応して、側カバー１２に長い凸状キー５１２に適合して接続される長いキー溝１２１が設けられている。全部で３つの凸状歯５１１が、円リング５１に設けられている。摩擦運動エネルギー貯蔵機構３に対する過負荷エネルギー貯蔵が行なわれる場合、すなわち、摩擦転動が基本的に不可能なときに、もしユーザーが摩擦転動を強引に継続したなら、円リング５１が応力を受けて変形し、これによって、凸状歯５１１が内側歯車リング５２から離脱する。その結果、側カバー１２は、取付けディスク４２を制限することができず、方向制限機構３の全体が離脱状態になり、ディスク体１１と共に回転し、これによって、摩擦運動エネルギー貯蔵機構３のエネルギー貯蔵を停止させることになる。
【００２０】
図２，３に示されているように、この実施形態のエネルギー貯蔵機構３は、エネルギー貯蔵バネ３１およびバネケース３２を備えている。エネルギー貯蔵バネ３１は、螺旋バネである。螺旋バネは、バネケース３２内に配置されており、その外端がバネケース３２に固定されている。バネケース３２は、ケース体３２２およびカバー体３２１を備えている。ノッチ３２３がケース体３２２の縁に形成されており、エネルギー貯蔵バネ３１の外端がノッチ３２３に固定して接続されている。カバー体３２１の周囲に沿って、３つの孔付き耳部３２４が設けられている。カバー体３２１がケース体３２２に被せられた後、カバー体３２１およびケース体３２２は、耳部３２４の孔およびディスク体１１のネジ孔によって互いに真っ直ぐに並べられ、ネジによって接続され、かつ固定されるようになっている。貫通孔３２０が、バネケース３２の中央に形成されている。これに対応して、方向制限機構４の歯車ディスク４３の下側部分に耳部４３０が設けられている。耳部４３０は、貫通孔３２０を通ってバネケース３２内に入るようになっている。耳部４３０の周囲に沿って、互いに離間して分配された３つの円弧片４３２が設けられており、円弧片４３２と耳部４３０との間に間隙が保たれている。円弧片４３２の各々の下端に、フック４３３が設けられている。歯車ディスク４３の耳部４３０がバネケース３２の貫通孔３２０内に挿入された後、フック４３３が貫通孔３２０から外に引き伸ばされ、貫通孔の側部に固定され、これによって、歯車ディスク４３がバネケース３２に接続されることになる。エネルギー貯蔵バネ３１の内端は、歯車ディスク４３の円弧片４３２にクランプされ、かつ接続されるようになっている。歯車ディスク４３の中央に軸受台４３４が設けられており、その上に軸受６が取り付けられている。接続シャフト２が、軸受６の中央孔に挿入され、かつ接続されることになる。この実施形態のディスク体１１のディスク口縁は、摩擦リング７に接続されている。摩擦リング７の摩擦係数は、ディスク体１１の摩擦係数よりも大きくなっている。摩擦リング７に皿孔が設けられており、ネジがこの皿孔を貫通し、ディスク体１１のディスク口縁のネジ孔内にねじ込まれ、これによって、係止接続が達成されることになる。摩擦リング７の直径は、ディスク体１１のディスク口直径よりも大きく、これによって、摩擦によるエネルギー貯蔵中、摩擦リング７と接触面との間に接触摩擦が生じることになる。ディスク体１１は、摩擦および損傷から良好に保護され、これによって、ヨーヨーボールの寿命をさらに延ばすことができる。摩擦リング７の摩擦係数が大きいので、摩擦リング７は、転動摩擦中に滑らず、エネルギー貯蔵効果が改良されることになる。もしエネルギー貯蔵効果が低下したなら、摩擦リング７のみを取り換えるだけでよい。加えて、摩擦リング７の外側面の縁の近くに装飾リング縁８が嵌着されている。装飾リング縁８に円弧状の凸状リブ８１が下向きに設けられており、これに対応して、摩擦リング７に円弧状の長孔７１が設けられている。円弧状の長孔７１内に円弧状凸状リブ８１が挿入され、これによって、装飾リング縁８が摩擦リング７に固定されることになる。
【００２１】
図４に示されているように、この実施形態の側カバー１２は、摩擦リング７の外側面に被せられている。皿孔１２２が、側カバー１２の中央に形成されている。円リング５１の長い凸状キー５１２の中央に円孔５１３が設けられており、長い凸状のキー４１２の底に長い凸状キー５１２よりも小さい長いキー溝５１４が凹状に設けられている。この実施形態では、取付けディスク４２の中央および歯車ディスク４３の耳部４３０の中央に、それぞれ、貫通孔が設けられており、該貫通孔を接続シャフトが貫通している。この実施形態では、接続シャフト２の端は、円リング５１の底の長いキー溝５１４に適合する長い凸状キー２１となるように設計されている。長い凸状キー２１の中央には、ネジ孔２２が設けられている。接続シャフト２が取付けディスク４２および歯車ディスク４３のそれぞれの貫通孔を貫通した後、接続シャフト２の端の長い凸状キー２１が円リング５１の長いキー溝５１４内に挿入され、側カバー１２の外側から側カバー１２の皿孔１２２および円リング５１の円孔５１３を貫通したボルトが、図３に示されているように、接続シャフト２のネジ孔２２内にねじ込まれるようになっている。加えて、主軸受が、この実施形態のヨーヨーボールの２つの回転体１間に配置されており、ヨーヨーボールの紐が、主軸受の周りに巻き付けられるようになっている。
【００２２】
ヨーヨーボールの遊び方は、以下の通りである。
【００２３】
ヨーヨーボールの周りに紐を巻き付け、ヨーヨーボール体の両側の側カバー１２を摘み、次いで、ヨーヨーボールを机、地面、または他の外部接触面上に置き、摩擦リング７を接触面に接触させ、一方向に向かって転動させる。もしそれほどの抵抗もなく容易に前方に転動するなら、これは、転動方向が摩擦運動エネルギー貯蔵機構３に対してエネルギーを貯蔵する方向ではないことを意味している。転動抵抗が存在しないのは、方向制限機構４の歯車ディスク４３が方向制限ブロック４１によって制限されていないからである。すなわち、歯車ディスク４３が、側カバー１２に対して回転するようになっているからである。換言すれば、歯車ディスク４３、エネルギー貯蔵バネ３１，およびバネケース３２は、ディスク体１１の転動と共に同期回転し、これによって、エネルギー貯蔵バネ３１にエネルギーを貯蔵することができないからである。従って、反対方向、すなわち、後方に転動させるのが適当であると判断することができる。この場合、歯車ディスク４３は、方向制限ブロック４１によって制限され、これによって、回転することができない。従って、エネルギー貯蔵バネ３１の内端が静止しており、その一方、その外端がディスク体１１の転動と共に回転し、このとき、エネルギー貯蔵バネ３１がエネルギーを貯蔵し始めることになる。さらに後方に転動することができないとき、エネルギー貯蔵バネ３１に対するエネルギー貯蔵が十分であることを示している。この場合、もし後方への強制的な転動が継続されたなら、円リング５１が大きすぎる捻れ力を受けて変形し、これによって、凸状歯５１１が取付けディスク４２の内側歯車リング５２から離脱する。従って、取付けディスク４２および歯車ディスク４３は、ディスク体の転動と共に回転し、これによって、エネルギー貯蔵バネ３１を過剰なエネルギー貯蔵によって損傷しないように効果的に保護することになる。エネルギーが十分に貯蔵された後、紐が巻き付けられた他の手の指によって、ヨーヨーを接触面から取り上げると、摩擦リング７の摩擦抵抗が解放され、エネルギー貯蔵バネ３１が反対方向に向かって復元し始め、エネルギーを解放し、これによって、ディスク体１１を反対方向に回転するように駆動させることになる。同様に、歯車ディスク４３は、反対方向に回転するとき、方向制限ブロック４１によって制限されず、これによって、歯車ディスク４３およびディスク体１１は、同期回転し、この状態でヨーヨーボールを手から離すと、紐に沿って落下し、最終的に紐の端において高速度で回転し、さらなる種々の曲芸的な動きをもたらすことができる。
【００２４】
実施形態を参照して、本発明を説明してきたが、この説明は、本発明を制限することを意味するものではない。当業者であれば、本発明の説明を参照することによって、開示されている実施形態の他の変更形態を予期することが可能である。しかし、これらの変更形態は、請求項によって制限されている範囲内に包含されることになる。
【図１】
2016539772.tif 000003
【図２】
2016539772.tif 000004
【図３】
2016539772.tif 000005
【図４】
2016539772.tif 000006
【国際調査報告】
2016539772.tif 000007
2016539772.tif 000008
2016539772.tif 000009
2016539772.tif 000010
2016539772.tif 000011